(57)【要約】      （修正有）【課題】スクリーンに対して継ぎ目なしの接続を実現する表示装置を提供する。【解決手段】複数の表示装置がアレー状に繋ぎ合わされ、各表示装置は、画像を表示する表示領域と、表示領域を取り囲み、画像を表示しない非表示枠を備える。画像を表示する表示枠が非表示枠に取り付けられ、処理回路が各表示装置を各表示枠とに接続する。【選択図】図１
0003177665.tif 000002
【実用新案登録請求の範囲】
【請求項１】
スクリーンを繋ぎ合わせる継ぎ目の除去装置であって、
マトリックス状に繋ぎ合わされた複数のスクリーンを含み、
各スクリーンの枠ごとに、一つの表示枠があり、
前記スクリーンと前記表示枠とは一つの完全な表示平面を形成し、
元の一つの前記表示平面を複数のスクリーン部分と複数の表示枠部分とに切り分けるとともに、各スクリーン部分と各表示枠とを接続する処理回路を備えたことを特徴とする、繋ぎ合わせる継ぎ目の除去装置。
【請求項２】
前記表示枠部分はLED又はOLEDを含むことを特徴とする、請求項1記載のスクリーンを繋ぎ合わせる継ぎ目の除去装置。
【請求項３】
前記処理回路は、ビデオ画像を分割するビデオカード、LCD/PDPドライバー回路、及びLED/OLED ドライバー回路を含むことを特徴とする、請求項1記載のスクリーンを繋ぎ合わせる継ぎ目の除去装置。
【考案の詳細な説明】
【技術分野】
【０００１】
本実用新案は、スクリーン（表示装置）を繋ぎ合わせる継ぎ目（枠）の除去装置に関連し、特に、スクリーンに対して継ぎ目なしの接続を実現する表示装置の技術に関連するものである。
【背景技術】
【０００２】
今のところ、80インチ以上の一体型のLCD/PDPは、表示技術に巨額の投資が必要であること、製品の良品率が低く、売価が高く、運搬も困難になっている現状とともに、技術、設備、原材料などの面で制限があるため、普及ができないでいる。よって、大面積のスクリーンを使用する場合、通常ではLEDスクリーンを利用することとなっている。
大面積のLED表示技術の最大の制限は、表示する解像度が低いことである。LEDのドットピッチは一般的に10mm〜4mmであり、通常はP10〜P4と呼ばれ、それはLCDの0.5mmドットピッチ、PDPの1.0mmドットピッチとの比べ、表示効果が良くない。一方、視点が一定ではない(例えば、人体の微小な移動)ことにより、LEDスクリーンにある明るいドットマトリックスと暗いドットマトリックスとは、網膜上で交互に並び、視覚の負担や疲労、更に目の痛みを招くことがある。現時点で、LED表示に用いる最小のドットピッチは3mmとなっているため、それにより、表示効果は改善されたが、１平方メートルごとに三元色（ＲＧＢ）のLEDは111,111個が必要であるので、その価格、消費電力、放熱性などは最大のボトルネックになっている。
従って、LEDスクリーンは、室内で、近距離、長時間の鑑賞に用いることが困難であることが明らかである。それを改善するため、通常のやり方は小面積、高精細のLCD/PDPスクリーンを利用して互いに繋ぎ合わせる（例えば、空港ターミナルビルの待合ホールなどのような場所では、80インチ以上のスクリーンが必要である）ことを行うが、スクリーンには枠があるため、合わせて接続された後に目立つ間隙が存在し、大面積のスクリーンに黒い枠が形成されることになる。
今のところ、それを改善する、枠が無いPDPを利用できるが、価格が高くて、耐久性もLCDより悪く、ひいては、LCDは構造的に枠無しの表示を実現できないという欠点がある。
改善された狭い枠を有するLCD/PDPスクリーンは、繋ぎ合わせの表示効果を大きく改善したが、依然として、繋ぎ合わせの継ぎ目を徹底的に除去することができない。そのうえ、他の形態の大面積のデジタル投影機は、投影空間、表示輝度、及び輝度の均一性も制限される。また、投影モニタ設備は、高輝度の光源を必要とし、使用寿命は短く、一般的に10,000時間以下であり、LCDの３分の１に及ばない。
OLED技術は、現在のところ、実験室の段階になっている新型の表示技術であり、原型（サンプル）機の展示も既にあったが、OLED表示器は、大面積に使われるまで及びビジネス上普及するまでは、まだ時間がかかり、一般的に、これからの5年間ぐらいの時間で、徐々に市場に向かい、またかなり長い時期内でLCD/PDPとともに市場で並在していくと見込まれている。
【考案の概要】
【考案が解決しようとする課題】
【０００３】
本実用新案の目的は、従来技術における小面積 (80インチ以下) のスクリーンを繋ぎ合せて、大面積のスクリーンを形成するとき、継ぎ目を除去することができないという問題を解決して、スクリーンに対して継ぎ目なしの接続を実現できる装置を提供することである。
【課題を解決するための手段】
【０００４】
本実用新案は、スクリーンを繋ぎ合わせる継ぎ目を除去する装置であって、マトリックス（アレー）状に接続された複数のスクリーンを含み、接続された各スクリーンの枠ごとに一つ表示枠があり、スクリーンと表示枠とは一つ完全な表示平面を形成し、元の一つの表示平面を複数のスクリーン部分と複数の表示枠部分とに切り分け、各スクリーンと表示枠とを接続する処理回路を備える。前記表示枠は、LED又はOLEDを含む。前記の処理回路は、ビデオ画像を分割するビデオ処理カード、LCD/PDPドライバー回路、及びLED/OLEDドライバー回路を含む。本実用新案のメリットは、LCD/PDP、及びLED/OLED各自の長所を充分に利用し、小面積のスクリーンが繋ぎ合せられて大面積のスクリーンにするときに形成される接続継ぎ目を除去する。
a) LEDのドットマトリックス（格子）が、2x2mmで、
b) LCDのドットマトリックスが、0.485x0.485mmで、
c) LCDの解像度が、1920x1080で、
d) LCDが、4x4に繋ぎ合せられる
とき、それら実際に表示されたドットマトリックスが非常に近くになる。一方、LED/OLEDは枠の面積範囲内にのみ位置しているため、高密度のLEDを使用することにより生じる、高価格、消費電力、放熱性、及び当面大面積のOLEDを造り難いなどの問題を避けられ、現在のところ成熟した80インチ以下の表示パネルを充分に利用し、任意に繋ぎ合せて、100インチ以上のスクリーン（数百インチのものでさえ）を造り出すことが可能である。
【図面の簡単な説明】
【０００５】
【図１】本実用新案の構造説明図
【図２】本実用新案の処理回路構造説明図
【考案を実施するための形態】
【０００６】
以下は、添付図と実施例とを結びつけ、本実用新案の詳細な説明を行う。
図の中には、マトリックス（アレー）状に繋ぎ合せられた複数のスクリーン1が含まれる。繋ぎ合せられた各スクリーン1の枠ごとに一つ表示枠2があり、スクリーン1と表示枠2とは一つ完全な表示平面を形成し、元の一つの表示平面を複数のスクリーン部分と複数の表示枠部分とに切り分け、各スクリーンと表示枠2とを接続する処理回路3を備える。前記表示枠2はLED又はOLEDを含む。前記処理回路3はビデオ画像を分割するビデオ処理カード4、LCD/PDPドライバー回路5、及びLED/OLEDドライバー回路6を含む。
この実用新案を具体的に実施する際、先ず、ビデオ処理カードを利用して元の表示平面をLCDスクリーン表示部分とLED付き表示枠部分とに分割し、それから、それぞれLCD及びLEDドライバー(カード)により、当該画像を、LCDスクリーンとLED枠とに表示させ、元の一つの図形に合う全体の画像に合成させる。各繋ぎ合せられたスクリーンは、前記のように表示することができた場合、全体の表示マトリックスは一つ完全な接続継ぎ目なしの大スクリーンを形成する。そのうち、
a) LEDのドットマトリックス（格子）が、2x2mmで、
b) LCDのドットマトリックスが、0.485x0.485mmで、
c) LCDの解像度が、1920x1080で、
d) LCDが、4x4に繋ぎ合せられる
とき、それら実際に表示されたドットマトリックスが非常に近くになる。一方、LED/OLEDは枠の面積範囲内にのみ位置しているため、高密度のLEDを使用することにより生じる、高価格、消費電力、放熱性、及び当面大面積のOLEDを造り難いなどの問題を避けられ、現在のところ成熟した80インチ以下の表示パネルを充分に利用し、任意に繋ぎ合せて、100インチ以上のスクリーン（数百インチのものでさえ）を造り出すことが可能である。
【図１】
0003177665.tif 000003
【図２】
0003177665.tif 000004
【手続補正書】
【提出日】平成24年6月6日(2012.6.6)
【手続補正１】
【補正対象書類名】実用新案登録請求の範囲
【補正対象項目名】全文
【補正方法】変更
【補正の内容】
【実用新案登録請求の範囲】
【請求項１】
アレー状に配列されて繋ぎ合わされた複数の表示装置に画像を表示させる装置であって、
各表示装置は、画像を表示する表示領域と、前記表示領域を取り囲み、画像を表示しない非表示枠とを備えており、
各非表示枠に取り付けられ、画像を表示する表示枠と、
各表示装置と各表示枠とに接続する処理回路であって、元の画像を、前記複数の表示装置の前記表示領域に表示されるべき画像と、複数の前記表示枠に表示されるべき画像とに分割し、前記複数の表示装置の前記表示領域と、各非表示枠に取り付けられた前記表示枠とにより形成される一体の表示平面にわたって、前記元の画像を表示させる処理回路とを備えたことを特徴とする、装置。
【請求項２】
前記表示枠はLED又はOLEDを含むことを特徴とする、請求項1記載の装置。
【請求項３】
前記処理回路は、ビデオ画像を分割するビデオカード、LCD/PDPドライバー回路、及びLED/OLED ドライバー回路を含むことを特徴とする、請求項1記載の装置。
【手続補正２】
【補正対象書類名】明細書
【補正対象項目名】０００４
【補正方法】変更
【補正の内容】
【０００４】
本実用新案の装置は、アレー状に配列されて繋ぎ合わされた複数の表示装置に画像を表示させる装置であって、各表示装置は、画像を表示する表示領域と、前記表示領域を取り囲み、画像を表示しない非表示枠とを備えており、各非表示枠に取り付けられ、画像を表示する表示枠と、各表示装置と各表示枠とに接続する処理回路であって、元の画像を、前記複数の表示装置の前記表示領域に表示されるべき画像と、複数の前記表示枠に表示されるべき画像とに分割し、前記複数の表示装置の前記表示領域と、各非表示枠に取り付けられた前記表示枠とにより形成される一体の表示平面にわたって、前記元の画像を表示させる処理回路とを備える。前記表示枠は、LED又はOLEDを含む。前記の処理回路は、ビデオ画像を分割するビデオ処理カード、LCD/PDPドライバー回路、及びLED/OLEDドライバー回路を含む。本実用新案のメリットは、LCD/PDP、及びLED/OLED各自の長所を充分に利用し、小面積のスクリーンが繋ぎ合せられて大面積のスクリーンにするときに形成される接続継ぎ目を除去する。
a) LEDのドットマトリックス（格子）が、2x2mmで、
b) LCDのドットマトリックスが、0.485x0.485mmで、
c) LCDの解像度が、1920x1080で、
d) LCDが、4x4に繋ぎ合せられる
とき、それら実際に表示されたドットマトリックスが非常に近くになる。一方、LED/OLEDは枠の面積範囲内にのみ位置しているため、高密度のLEDを使用することにより生じる、高価格、消費電力、放熱性、及び当面大面積のOLEDを造り難いなどの問題を避けられ、現在のところ成熟した80インチ以下の表示パネルを充分に利用し、任意に繋ぎ合せて、100インチ以上のスクリーン（数百インチのものでさえ）を造り出すことが可能である。